(57)【要約】  【課題】自然発生する雑草は、成長力、繁殖力が強く、表面上の刈り取り処理だけでは、地下茎はダメージを受けていないため、一ヶ月もすれば、元の状態に戻っている。特に春から秋の間は雑草の生育が早いため、一定期間後には、再度刈り取り作業が必要となり、良好な道路等の環境の保全や道路補修等の維持管理コストを増大させている。舗装と構造物の隙間や舗装の継ぎ目・ひび割れから雑草が生えないようにする。【解決手段】溝成形機で雑草の根元を抜根除去することにより空間を形成し、該空間は雑草の根がはっている土部分まで掘削する。前記空間にセメントミルクを充填し、その上部にモルタル(1：3) を充填する。前記空間の内側面及びモルタル(1：3)の上面にも丁寧にまんべんなく接着剤１７(セメダインシリコンシーラント専用プライマーＢ)を塗る。次に、かつ舗装面より突出すようにコーキング材を充填することにより、雑草の発芽を防止する事ができる。【選択図】図１
2020060050.tif 000002
【特許請求の範囲】
【請求項１】
溝成形機で雑草の根が張っている土の部分まで掘起こすことで空間を形成し、雑草の根元を抜根除去したことを特徴とする舗装部の防草工法。
【請求項２】
前記空間の土部分にセメントミルクを充填することを特徴とする請求項１に記載された舗装部の防草工法。
【請求項３】
前記空間に充填したセメントミルクの上部で、かつ舗装面より下方位置にモルタル(1：3)を充填することを特徴とする請求項１または請求項２          に記載された舗装部の防草工法。
【請求項４】
前記空間に充填したモルタル(1：3)の上部で、かつ舗装面より突出すようにコーキング材を充填することを特徴とする請求項１ないし請求項３に記載された舗装部の防草工法。
【請求項５】
前記空間は歩道と歩車道境界ブロックとの隙間、アスファルト舗装の亀裂（ひび割れ）、コンクリート構造物の継ぎ目に形成することを特徴とする請求項１に記載された舗装部の防草工法。
【発明の詳細な説明】
【技術分野】
【０００１】
本発明は、道路の舗装と構造物の隙間や舗装の継ぎ目・亀裂（ひび割れ）からの雑草の繁茂を防止する舗装部の防草工法に関するものである。
【背景技術】
【０００２】
道路築造においては、図４に示すように舗装部は、転落防止柵基礎２の上部に転落防止柵１が固定配置されている。また、車道６には中央分離帯８が設けられ、前記中央分離帯８は中央分離帯コンクリート１３と縁石７で構成されている。前記車道６と歩車道境界ブロック４との間にはエプロン５が配置されている。前記エプロン５には排水用の開口が設けられている。前記舗装部は一般的にアスファルト舗装とコンクリート構造で成り立っており、異なる性質であるため一体的な構造として施工が出来ないため、どうしても目地が発生してしまう。また、当初は密着を図りながら施工を行うが、アスファルト舗装である歩道３とコンクリート構造物である歩車道境界ブロック４の膨張や収縮の比率が異なるため、完成後早ければ数か月で継ぎ目において分離し隙間１０が現れる。また、経年劣化や自然環境の変化により舗装の継ぎ目９や隙間１０や亀裂（ひび割れ）Ｋが生じてしまう。
【０００３】
また、アスファルト舗装とコンクリート構造物の接着面においては、アスファルト乳剤等で接着を図り施工するのが一般的であるが、綿密な施工を行うも異なる性質の部材であるため接着が出来る物ではなく、経年劣化等により隙間１０が出来てしまう。
【０００４】
さらに、経年劣化等や交通車両の振動によっても、構造物との剥離が発生し、隙間１０が生じてしまう。
【０００５】
前記隙間１０や亀裂（ひび割れ）Ｋに砂塵や雑草種子が入り、降雨により雑草１１が発芽して成長していく。このような道路のアスファルト舗装とコンクリート構造物との隙間１０やアスファルト舗装の継ぎ目９・亀裂（ひび割れ）Ｋに雑草１１が生育させないための雑草生育防止の工法が提案されている。
【０００６】
例えば、特許文献１では、道路舗装と縁石に生じた隙間に生えた雑草、及びコケ、ゴミを除去してから隙間にプライマーを塗布し、樹脂エマルジョンにセメントを混合して撹拌したシーリング材を容器から隙間に流し込んで充填する。その後シーリング材を乾燥固化させる雑草生育防止工法が記載されている。また、特許文献２では、コンクリート構造物とアスファルト構造物の境界など各種構造物の境界部、例えば歩道の縁石ブロックとアスファルト舗装の境界部の隙間に生育した雑草及び土砂分を除去した後、同隙間を水で洗浄し、その後に隙間全体に無収縮性のモルタルを充填する雑草の生育防止工法が記載されている。
【先行技術文献】
【特許文献】
【０００７】
【特許文献１】特開２００５−０８３１４０号公報
【特許文献２】特開平１１−０８１２６４号公報
【発明の概要】
【発明が解決しようとする課題】
【０００８】
特許文献１(特開２００５−０８３１４０)の雑草生育防止工法では、シーリング材が乾燥硬化させると示されていますが、硬化することにより、当初施工と同様にひび割れや亀裂が生じてしまい、そこから雑草が発芽してしまうため、不十分である。
【０００９】
特許文献２(特開平１１−０８１２６４)の雑草生育防止工法では、無収縮性のモルタルを充填することが開示されているが、ビニール系のエマルジョンだけでは、隙間への付着が弱く、振動や雨水によってはがれてしまうことが多く、また、接着剤はコストがかかるという問題があった。無収縮性のモルタルは、充填後、繰り返しの交通荷重でひび割れを生じやすく、長時間の雑草の生育を防止することが困難であった。
【００１０】
除草(草刈り)作業は年間数回実施しており、表面上は奇麗に見えますが根は全くダメージを受けていないため、概ね一か月もすれば元の状態に戻っている。特に歩道部の雑草の繁茂が著しいと交通弱者である歩行者や自転車・高齢者の電動車椅子等が車道を走ることにより事故の要因になるため、雑草が生えないようにする必要がある。
【００１１】
本発明は、上記従来の課題に鑑みてなされたものであり、その一つの目的は、施工後にアスファルト舗装とコンクリート構造物を破損させることなく、アスファルト舗装とコンクリート構造物との間に生じる隙間や亀裂に雑草が生えるのを確実に防止できるとともに、簡単な構造で、施工作業を簡単に行え、低コストで施工できる舗装部の防草工法を提供することにある。
【００１２】
自然発生する雑草は、成長力、繁殖力が強く、表面上の刈り取り処理だけでは、地下茎はダメージを受けていないため、一ヶ月もすれば、元の状態に戻っている。特に春から秋の間は雑草の生育が早いため、一定期間後には、再度刈り取り作業が必要となり、良好な道路等の環境の保全や道路補修等の維持管理コストを増大させている。
【課題を解決するための手段】
【００１３】
溝成形機で雑草の根元を抜根除去することにより空間を形成し、該空間は雑草の根が張っている土部分まで掘起こして形成している。
【００１４】
前記空間にセメントミルクを充填する。
【００１５】
前記空間に充填したセメントミルクの上部で、かつ舗装面より下方位置にモルタル(1：3) を充填する。
【００１６】
前記空間に充填したモルタル(1：3)の上部で、前記空間に接着剤を塗り、かつ舗装面より突出すようにコーキング材を充填する。
【００１７】
歩道と歩車道境界ブロックとの隙間、アスファルト舗装の亀裂（ひび割れ）、コンクリート構造物の継ぎ目に生育した雑草を抜根除去するための空間を形成する。
【発明の効果】
【００１８】
本発明によって、構造物の境界部に発生した隙間が閉鎖され簡単な手段で雑草の生育を防止することが可能となる。
【００１９】
アスファルト舗装とコンクリート構造物が一体化されたため、構造体としての強度も向上する。
【００２０】
毎年数回実施している除草の費用が節減できる。
【００２１】
歩道の有効幅を狭めていた雑草が無くなることにより広く使えるので、歩行者及び自転車や高齢者の電動車椅子の安全と快適さが確保できる。
【００２２】
雑草による悪景観が解消される。
【００２３】
作業時における交通規制の制限の解消が出来る。
【００２４】
交通安全の確保が出来る。
【００２５】
雑草の繁殖により傷んだ舗装の維持管理費が節減できる。
【００２６】
本発明は新設工事の時や、舗装打ち換えの時にも利用できる。
【００２７】
雑草によるアスファルト舗装の傷みが無くなるので長持ちし、資源の節減ができる。
【００２８】
薬剤を使用しないので環境に良い。
【００２９】
防草シート方式に比べて、曲線部の作業性が良い。
【図面の簡単な説明】
【００３０】
【図１】本発明実施例の舗装部の防草工法の手順を示す説明図である。
【図２】本発明実施例の舗装部の防草工法の終了状態を示す舗装部の断面図である。
【図３】図２A部分の拡大図である。
【図４】道路構造に於ける雑草の繁茂状態の例を示す斜視図である。
【発明を実施するための形態】
【００３１】
以下本発明の特徴を示す図面で具体的に説明する。本発明は歩道３と歩車道境界ブロック４との隙間１０における防草工法について説明するが、以下の実施例に限定されるものではない。
【００３２】
図1(ａ)に示すように、雑草１１は歩道3と歩車道境界ブロック4の隙間１０に生育している。前記雑草１１の根１２はアスファルト舗装されている歩道3の下にある土１８内で張っている。
【００３３】
まず、前処理として図1(ｂ)に示すように、アスファルトで舗装している歩道3と歩車道境界ブロック4の隙間１０に生育した雑草１１の地下茎の抜根除去を行なうとともに空間Ｓを形成する。抜根除去には溝成形機（図示せず）で行う。前記溝成形機は、例えば溝掃除機(ミカサＭＣＧ-50、図示せず)を使用し、前記溝掃除機には溝を切削するワイヤーブレードが取り付けられている。しかし、地下一帯に張っている細かい根に対しては、ワイヤーブレードは届かないが、生育に必要な構成は崩壊させている。溝掃除機のワイヤーブレードとは、ワイヤー0.5mm20本をひねり強力にしてある。またコケ、ゴミ、砂及び
小石等の作業に支障をきたす物の除去を十分に行う。ワイヤーブレードで掻き出された雑草１１の除去は、手作業により集め一輪車にて搬出し、２t車に載せて処分する。
【００３４】
次に図1(ｃ)に示すように、雑草の根１２及び空間Ｓに対してセメントミルク１４を充填する。セメントミルク１４とは、セメントを水だけで練ったもので、セメントは水と反応すると水酸化カルシウム(消石灰)を発生させ、強アルカリ性を示す性質がある。
強アルカリ性とは、水素イオン濃度(ＰＨ)で示す時(範囲1〜14)におおむね最大値（14）に近いところをいう。
雑草１１が生える土質は弱酸性(ＰＨ6〜6.5)で生育する。
強アルカリ性の物質は、タンパク質を溶かす性質があり雑草１１の根１２はタンパク質で構成されているため溶けてなくなってしまう。
【００３５】
この後図1(ｄ)に示すように、モルタル(1：3) １５を舗装面より5mm程下まで埋める
。この段階でも地下からの生育は考えられないが、表面への種子の飛散により、モルタルの硬化後の自然環境の変化や自動車等の振動により、ひび割れや亀裂（ひび割れ）Ｋが生じて発芽してしまう可能性がある。
モルタル(1：3) １５とは、セメントと砂を1：3の割合で混ぜ、水で練ったものである。
砂とは、直径5mmまでの砂利を指す。
【００３６】
その後図1(e)に示すように、前記空間の内側面及びモルタル(1：3)の上面にも丁寧にまんべんなく接着剤１７(セメダインシリコンシーラント専用プライマーＢ)を塗る。次に、粘着性が強く柔軟性に優れたコーキング材１６(セメダイン  シリコンシーラント８０６０)を充填する。この作業は、この工法の施工上の一番の重要なところであり、丁寧にまんべんなく塗らないと後にコーキング材１６が剥がれてしまう。
塗面を平滑に均す作業を行ない、特に工具や方法は限定されず仕上げる。
セメダイン  シリコンシーラント８０６０は、耐水性・耐熱性・耐候性に優れ硬化後は、ゴム状弾性体になりひび割れがない。
また、使用温度範囲は−50℃〜１５０℃であり、日本の気候に適している。
おおむね１０分程度の養生でゴム状弾性体になれば作業は完了する。
【００３７】
図２は、歩道３と車道６の間にあるコンクリート構造物を断面図に表したもので、Ｂは歩道３の中に亀裂Ｋ（ひび割れ）から生えている雑草１１及び、Ａは歩道３と歩車道境界ブロック４、Ｃは歩車道境界ブロック４とエプロン５、Ｄはエプロン５と車道６との間に形成される隙間１０から生えている雑草１１を防草工法にて施工した後の状態を示している。
【００３８】
図３に示すように、図２のA部分の拡大したものであり、図１の(a)から（e）の手段で終了状態であるが、この中で特に前記空間の内側面及びモルタル(1：3)の上面に接着剤１７を、丁寧にまんべんなく塗る作業が重要である。
【符号の説明】
【００３９】
１、転落防止柵
２、転落防止柵基礎
３、歩道
４、歩道境界ブロック
５、エプロン
６、車道
７、縁石
８、中央分離帯
９、中央分離帯コンクリート・歩道のアスファルト舗装の継ぎ目
１０、隙間(クラック含む)
１１、雑草
１２、雑草の根
１３、中央分離帯コンクリート
１４、セメントミルク
１５、モルタル(1：3)
１６、コーキング材
１７、接着剤
１８、土
Ｓ、空間
Ｋ、亀裂
【図１】
2020060050.tif 000003
【図２】
2020060050.tif 000004
【図３】
2020060050.tif 000005
【図４】
2020060050.tif 000006